(57)【要約】    【課題】チェーンソーにおけるガイドバーの締結力を容易に確保でき、操作性を向上する。    【解決手段】ガイドバー締結用のナット部材１０の直径方向に延び、基端部がナット部材１０の周縁部に軸支されてナット部材１０の回転面と直角な面内を揺動自由な第１レバー１３１と、第１レバー１３１に軸方向スライド自由に係合する第２レバー１３２とを有した操作レバー１３を設け、操作レバー１３の軸長を短縮した状態で、ナット部材１０の径方向に沿って形成された収納部１０ａ内に収納すると共に、収納部１０ａから外してナット部材１０の径方向外側に軸長を伸長した状態で、第２レバー１３２の外端部を把持してナット部材１０を回転操作する。【選択図】  図５
2014198425.tif 000002
【特許請求の範囲】
【請求項１】
ソーチェーンを周縁部に支持すると共に、一端部がチェンソー本体とチェーンカバーとの間に挟持されたガイドバーと、
前記チェンソー本体に固定され、前記ガイドバーの一端部及び前記チェーンカバーを貫通して配設されたボルト部材と、
中心部が前記ボルト部材のチェーンカバー外側に突出するネジ部に螺合して、前記ガイドバーを締結する円形状のナット部材と、
前記ナット部材の直径方向に延び、基端部が前記ナット部材の周縁部に軸支されて前記ナット部材の回転面と直角な面内を揺動自由な第１レバーと、該第１レバーに軸方向スライド自由に係合する第２レバーとを有し、前記第２レバーのスライドによって、軸長を伸縮可変な操作レバーと、
を含んで構成され、
前記操作レバーは、軸長を短縮した状態で、前記ナット部材の径方向に沿って形成された収納部内に収納されると共に、該収納部から外して前記ナット部材の径方向外側に軸長を伸長した状態で、前記第２レバーの外端部を把持してナット部材を回転操作するようにしたことを特徴とするチェンソーのガイドバー締結装置。
【請求項２】
前記第２レバーは、前記第１レバーの外側を覆って係合されることを特徴とする請求項１に記載のチェンソーのガイドバー締結装置。
【請求項３】
第２レバーは、第１レバーから離れる外端部方向に幅が末広がりとなる形状に形成されている請求項１又は請求項２に記載のチェンソーのガイドバー締結装置。
【請求項４】
前記第１レバーと第２レバーとの間に、該第２レバーを前記第１レバーから離す方向に付勢する弾性部材を介装したことを特徴とする請求項１〜請求項３のいずれか１つに記載のチェンソーのガイドバー締結装置。
【請求項５】
前記第１レバーと第２レバーとの間に、該第２レバーの第１レバーからの抜け止め用係合部が係脱自由に配設されていることを特徴とする請求項１〜請求項４のいずれか１つに記載のチェンソーのガイドバー締結装置。
【請求項６】
前記第２レバーの端部外周面に１以上の突起又は溝が形成され、チェーンカバー又は該チェーンカバーに固定された部材に、前記突起又は溝と係合自由な溝又は突起が全周に形成されている請求項１〜請求項５のいずれか１つに記載のチェンソーのガイドバー締結装置。
【請求項７】
前記操作レバーを前記収納部から外し、外側に揺動させて開いたときの最大開き角θが、前記ナット部材の頂面よりチェーンカバーから離れる斜め方向に規制される請求項１〜請求項６のいずれか１つに記載のチェンソーのガイドバー締結装置。
【発明の詳細な説明】
【技術分野】
【０００１】
本発明は、チェンソーにおいて、ソーチェーンを支持するガイドバーをチェンソー本体に締結する装置に関する。
【背景技術】
【０００２】
チェンソーにおいては、チェーンを支持するガイドバーをチェンソー本体に対してボルト部材及びナットを用いて固定するように構成されている。
特許文献１では、ガイドバー締結用のナットを回転するため、ナットと一体に固定された半円状の回転ノブの直径方向に軸支された半円状のレバーを回転操作することにより、手動でガイドバーの締結（及び締結解除）操作を行えるようにしている。
【先行技術文献】
【特許文献】
【０００３】
【特許文献１】特開２００６−１０３３０１号公報
【発明の概要】
【発明が解決しようとする課題】
【０００４】
しかしながら、特許文献1に記載のガイドバー締結操作機構では、レバーの長さが回転ノブの大きさに制約されて短く、十分な締結力を得ることが難しかった。回転ノブを大きくすることは、チェーンカバーの大きさによる制約があり、困難である。
【０００５】
本発明は、上記課題を解決するためなされたもので、コンパクト性を維持しつつ、小さい操作力でガイドバーの締結力を大きく確保することができ、操作性を改善したチェンソーのガイドバー締結装置を提供することを目的とする。
【課題を解決するための手段】
【０００６】
上記目的の達成のため、本発明に係るチェンソーのガイドバー締結装置は、
ソーチェーンを周縁部に支持すると共に、一端部がチェンソー本体とチェーンカバーとの間に挟持されたガイドバーと、
前記チェンソー本体に固定され、前記ガイドバーの一端部及び前記チェーンカバーを貫通して配設されたボルト部材と、
中心部が前記ボルト部材のチェーンカバー外側に突出するネジ部に螺合して、前記ガイドバーを締結する円形状のナット部材と、
前記ナット部材の直径方向に延び、基端部が前記ナット部材の周縁部に軸支されて前記ナット部材の回転面と略直角な面内を揺動自由な第１レバーと、該第１レバーに軸方向スライド自由に係合する第２レバーとを有し、前記第２レバーのスライドによって、軸長を伸縮可変な操作レバーと、
を含んで構成され、
前記操作レバーは、軸長を短縮した状態で、前記ナット部材の径方向に沿って形成された収納部内に収納されると共に、該収納部から外して前記ナット部材の径方向外側に軸長を伸長した状態で、前記第２レバーの外端部を把持してナット部材を回転操作するようにしたことを特徴とする。
【発明の効果】
【０００７】
本発明によれば、操作レバーをナット部材の収納部から外し、径方向外側に向けて操作レバーの軸長を伸長させた状態で、第２レバーの端部を把持して、ナット部材を回転することにより、ガイドバーを締結または締結解除することができ、その後、軸長を短縮させた状態で、操作レバーをナット部材の収納部に収納することができる。
【０００８】
ここで、第２レバーを第１レバーに対してスライド自由に係合する構成としたため、径方向外側に向けて操作レバーを伸長させたときの、操作レバーの軸長を大きくすることが可能となる。
【０００９】
これにより、コンパクト性を確保しつつ、小さい操作力で十分大きなナットの回転トルク、つまりガイドバーの締結力を得ることができ、操作性も向上する。
【図面の簡単な説明】
【００１０】
【図１】本発明の実施形態に係るチェンソーの全体構成を示す斜視図
【図２】同上チェンソーを構成する本体、ガイドバー、チェーンカバーの分解斜視図
【図３】同上チェンソーの要部正面図（Ａ）と、（Ａ）のＸ−Ｘ矢視断面図（Ｂ）、（Ａ）のＹ−Ｙ矢視断面図（Ｃ）
【図４】同上チェンソーを構成するナット部材及び操作レバーの、操作レバー開時の斜視図（Ａ）、同じく操作レバーの断面を示す斜視図（Ｂ）、同じく分解斜視図（Ｃ）
【図５】同上のナット部材及び操作レバーの操作レバー開時における正面図（Ａ）、（Ａ）の縦断面図（Ｂ）、同上のナット部材及び操作レバーの操作レバー閉時における正面図（Ｃ）、（Ａ）の（Ｂ）とは異なる位置での縦断面図（Ｄ）
【図６】同上のガイドバー締結部の断面図
【図７】同上チェンソーを構成する調整操作部カバー、ナット部材、チェーンカバーを背面からみた分解斜視図
【発明を実施するための形態】
【００１１】
以下に図面を参照して、本発明の実施の形態について説明する。
図１は、本発明の実施形態に係るチェンソーの全体構成を示し、図２〜図６は、各部の構成を示す。
【００１２】
チェンソー１には、チェンソー本体（以下、単に本体という）２に、前方へ伸びるガイドバー３が取り付けられている。ガイドバー３には、その周縁部にソーチェーン４が支持されている。
【００１３】
ソーチェーン４は、本体２内部で図示しないエンジンや電動モータ等の原動機により回転駆動されるスプロケットとの係合を介して、ガイドバー３の周縁部の周りを回転するようになっている。
【００１４】
ガイドバー３及びガイドバー３に隣接しソーチェーン４に係合して回転駆動するスプロケット等が配設される周辺部分はチェーンカバー５により覆われ、該チェーンカバー５は、本体２に取り付けられる。
【００１５】
本体２の前部には、チェーンカバー５と一体のフロントガード６が取り付けられ、その後方に、フロントハンドル７、リアハンドル８が取り付けられている。
図２（分解図）及び図３に示すように、ガイドバー３は、スプロケットに隣接する側の一端部が、本体２とチェーンカバー５との間に挟持され、該ガイドバー３を締結するため、ボルト部材（スタッドボルト）９と、ナット部材１０を備える。
【００１６】
ボルト部材９は本体２に固定され、円形状のナット部材１０は、その中心部がボルト部材９のチェーンカバー５外側に突出するネジ部に螺合してガイドバー３を締結する。
チェーンカバー５には、ナット部材１０及びソーチェーン４の張力調整部材１１等を覆ってナット部材１０を抜け止めする調整操作部カバー１２がネジ止めして装着される。
【００１７】
図４及び図５に示すように、ナット部材１０には、直径方向に沿って収納部１０ａが形成されている。そして、ナット部材１０を回転操作するための操作レバー１３が、ナット部材１０の収納部１０ａ内に収納される閉位置（図５（Ｃ）等参照）から、ナット部材１０を回転操作するときの開位置（図５（Ａ）等参照）まで揺動するように装着されている。以下、操作レバー１３について詳細に説明する。
【００１８】
操作レバー１３は、ナット部材１０の直径方向に延び、図３（Ｂ）に示すように、基端部がナット部材１０の周縁部にヒンジ１４を介して軸支され、ナット部材１０の回転面と直角な面内を揺動自由な第１レバー１３１と、第１レバー１３１に軸方向スライド自由に係合する第２レバー１３２とを備えて構成され、第２レバー１３２のスライドによって操作レバー１３の軸長が伸縮可変とされる。
【００１９】
図４及び図５に示すように、第２レバー１３２は、第１レバー１３１の外側を覆って係合され、第１レバー１３１から離れる外端部方向に幅が末広がりとなる形状に形成されている。
【００２０】
第２レバー１３２と第１レバー１３１との間には、第２レバー１３２を第１レバー１３１から離す方向、すなわち操作レバー１３の軸長を増大する方向（伸長方向）に付勢するコイルスプリング１５が配設されている。
【００２１】
詳細には、図５等に示すように、第２レバー１３２の端壁内面から第１レバー１３１方向に延びる凸棒１３２ａが形成され、第１レバー１３１には、前記凸棒１３２ａを出没自由な筒状部１３１ａが形成される。そして、これら凸棒１３２ａと筒状部１３１ａとの間の環状の間隙にコイルスプリング１５が嵌挿され、圧縮状態に装着されている。
【００２２】
第１レバー１３１の筒状部１３１ａの両側には、基端部から軸方向に延びる一対の抜止用アーム１３１ｂが形成され、抜止用アーム１３１ｂの先端部には、レバー揺動方向閉じ側に突出する爪１３１ｃが形成されている。
【００２３】
一方、第２レバー１３２には、抜止用アーム１３１ｂの爪１３１ｃを係止する係止部１３２ｂが形成され、操作レバー１３の軸長が最大となる状態で、爪１３１ｃが係止部１３２ｂに係止することにより、第２レバー１３２を第１レバー１３１から抜け止めしている。
【００２４】
抜止用アーム１３１ｂは、樹脂材で形成されて可撓性を有し、メンテナンス時には、爪１３１ｃを押し込んで係止部１３２ｂから外すことにより、第２レバー１３２を第１レバー１３１から取り外すことができる。
【００２５】
操作レバー１３は、ヒンジ１４の外側に配設された捩じりコイルばね１６により、ナット部材１０の収納部１０ａ内に収納される閉方向に付勢されている。
図４及び図５に示すように、第２レバー１３２の円弧状の外端面には径方向に突出する１以上（図では３個）の突起１３２ｃが形成されている。
【００２６】
一方、調整操作部カバー１２のナット部材１０の外周壁と対向する内周壁には、前記突起１３２ｃに任意のレバー回転角位置で係合自由な複数の溝１２ａが、全周にわたって等間隔に列設されている。
【００２７】
かかる構成のレバー機構において、常時は、ナット部材１０がボルト部材９にねじ込まれ、チェーンカバー５と本体２との間に挟持されたガイドバー３が、所定以上の締結力で締結されて安定状態に保持されている。
【００２８】
第２レバー１３２は、コイルスプリング１５を圧縮させた状態で、その先端部が調整操作部カバー１２の内側に押し込まれ、突起１３２ｃが調整操作部カバー１２の溝１２ａに係合することにより、ナット部材１０が回り止め保持されている。
【００２９】
この状態から、ガイドバー３の締結を緩め、ガイドバー３の長手方向位置を調整してソーチェーン４の張力を調整した後、ガイドバー３を再締結する一連の動作について説明する。
【００３０】
ガイドバー３の締結を緩めるときは、第２レバー１３２の調整操作部カバー１２より外側に突出する外端部を操作レバー１３の軸長短縮方向に押し込んで突起１３２ｃと溝１２ａとの係合を解除し、捩じりコイルばね１６の付勢力に抗して、操作レバー１３を開き方向に動かしナット部材１０の収納部１０ａから外す。
【００３１】
これにより、コイルスプリング１５の付勢力によって第２レバー１３２が第１レバー１３１から離れる方向にスライドして操作レバー１３が最大の軸長まで伸長する。
さらに、捩じりコイルばね１６の付勢力に抗して、操作レバー１３（第１レバー１３１及び第２レバー１３２）をヒンジ１４周りに揺動させ、ナット部材１０の径方向外側に向かって開く。
【００３２】
ここで、図５に示すように、第１レバー１３１とナット部材１０のヒンジ１４回りに設けられた図示しない回転ストッパ機構により、最大開き角度θがナット部材１０の頂面よりチェーンカバー５から離れる斜め方向に規制して保持される。
【００３３】
この状態で、第２レバー１３２の末広となっている端部を握り、ナット部材１０を緩み方向（例えば、反時計回り方向）に所定量以上回転すると、ナット部材１０が緩み、ガイドバー３の締結が解除される。
【００３４】
締結を解除されたガイドバー３を、張力調整部材１７の回転操作により図示しないねじ機構等を介して長手方向に移動し、ソーチェーン４の張力を調整する。
ソーチェーン４の張力調整終了後、ガイドバー３を締結する作業を以下のように行う。
【００３５】
上記のように開かれた第２レバー１３２の端部を握って把持し、ガイドバー３締結方向（例えば時計周り方向）にナット部材１０を軸周りに回転操作する。これにより、ナット部材１０がボルト部材９にねじ込まれ、チェーンカバー５と本体２との間に挟持されたガイドバー３の締結力が増大する。
【００３６】
ガイドバー３の十分な締結力が確保されたと判断すると、操作レバー１３を、前記回転ストッパ機構によるストッパ機能を解除して閉じ方向に揺動させる。同時に、第２レバー１３２を押し込んでコイルスプリング１５を圧縮させつつ操作レバー１３の軸長を短縮させて、第２レバー１３２の外端部を調整操作部カバー１２の内側に入れて収納部１０ａ内に収納した後、手を離して解放する。
【００３７】
これにより、操作レバー１３がナット部材１０の収納部１０ａ内に収納されると同時に、第２レバー１３２の突起１３２ｃが抜止リング１２の溝１２ａと係合し、ナット部材１０、操作レバー１３、ナット部材１０が回り止めされる。
【００３８】
また、ソーチェーン４の張力を調整する際、ナット部材１０が緩んだ状態で操作レバー１３を伸長させたままでは安定しない。そこで、上記のように操作レバー１３を短縮し、収納部１０ａ内に回り止めして収納しておけば安定状態に保持することができ、張力調整の作業性が向上する。
【００３９】
以上説明したように、本実施形態によれば、操作レバー１３の軸長を伸縮可変な構造としたことにより、小型化されたチェンソーにおいてナット部材１０の大きさ（直径）が制約される条件下でも、操作レバー１３の軸長を可及的に大きくすることができる。例えば、図５に示すように、操作レバー１３の最大の軸長Ｌは、ナット部材１０の直径以上となり、ナット部材１０の回転軸から操作レバー１３外端部までの回転半径Ｒもナット部材１０の直径以上の大きさを確保できる。
【００４０】
これにより、操作レバー１３の操作力（入力）をナット部材１０の大きな回転トルクに変換して、ガイドバー３の締結（解除）力を増大することができ、操作性も向上する。
また、非操作時には、操作レバー１３をナット部材１０の収納部１０ａ内にコンパクトに収納することができる。
【００４１】
また、第２レバー１３２は、第１レバー１３１の外側を覆う構成としたため、逆の場合（内側レバーが外側レバーの外側を覆う構成）に比較して幅広とすることができ、さらに、外端に向かって幅が末広がりとなる形状に形成したことにより、第２レバー１３２を握りやすく、操作性が向上する。
【００４２】
また、操作レバー１３の伸長時は、コイルスプリング１５の付勢力によって、最大軸長Ｌに維持し、さらに操作レバー１３を最大の開き角θに保持した安定した状態で操作することができ、より、操作性が向上する。
【００４３】
また、軸長増大方向に付勢するコイルスプリング１５を設けたことにより、操作レバー１３の収納時に、突起１３２ｃと溝１２ａが係合する方向に付勢され、回り止め機能を維持することができる。
【００４４】
なお、上記突起１３２ｃ，溝１２ａを設けず、第２レバー１３２の外端面と調整操作部カバー１２の内周面とをコイルスプリング１５の付勢力で圧接させるだけでも、摩擦力によって回り止め機能を得ることも可能である。
【００４５】
また、操作レバー１３の最大開き角度θを、ナット部材１０の頂面よりチェーンカバー５から離れる斜め方向に規制したことにより、操作レバー１３を操作する際に操作レバー１３とチェーンカバー５との間に手を入れやすく、また、手がソーチェーン４に触れることを抑制できる。
【００４６】
その他の構成及び効果として、図３に示すように、調整操作部カバー１２の下端部とチェーンカバー５との間にゴミ抜き用の隙間１７を形成したことにより、内部のゴミが排出されやすく、ゴミの堆積により操作機能の低下を抑制できる。
【００４７】
また、ナット部材１０の収納部１０ａ両側の周縁部に溝部１０ｂが形成されている。これにより、ガイドバー３の締結が弱く、ナット部材１０を殆ど抵抗なく回転できるときには、操作レバー１３を収納部１０ａに収納し、溝部１０ｂを持ってナット部材１０を速やかに回転させることができる。
【符号の説明】
【００４８】
１…チェンソー、２…チェンソー本体、３…ガイドバー、４…ソーチェーン、５…チェーンカバー、９…ボルト部材、１０…ナット部材、１０ａ…収納部、１２…調整操作部カバー、１３…操作レバー、１４…ヒンジ、１５…コイルスプリング、１６捩じりコイルばね、１３１…第１レバー、１３１ｂ…抜止用アーム、１３１ｃ…爪、１３２…第２レバー、１３２ｂ…係止部、１３２ｃ…突起
【図１】
2014198425.tif 000003
【図２】
2014198425.tif 000004
【図３】
2014198425.tif 000005
【図４】
2014198425.tif 000006
【図５】
2014198425.tif 000007
【図６】
2014198425.tif 000008
【図７】
2014198425.tif 000009